(57)【要約】【課題】実施形態では透過効率を大きく低下させることなく、全体的には電力消費を抑制することができる表示装置、表示装置の駆動方法を提供することを目的としている。【解決手段】実施形態によれば、透過効率を大きく低下させることなく、全体的には電力消費を抑制することができる。実施形態によれば、第１方向Ｘ、及び前記第１方向Ｘに交差する第２方向Ｙに沿って配列される、複数のサブ画素ＰＸと、各サブ画素ＰＸに対応している色フィルタと、照明装置ＬＵと、を有した表示装置である。そして、前記色フィルタは、少なくとも青のフィルタＢと黄のフィルタＹが隣り合い、前記照明装置が１フレーム期間内で、少なくともシアンの光が出力する期間とマゼンタの光が出力する期間を有する。【選択図】図３Ａ
2016110098.tif 000002
【特許請求の範囲】
【請求項１】
第１方向、及び前記第１方向に交差する第２方向に沿って配列される、複数のサブ画素と、
各サブ画素に対応している色フィルタと、
照明装置と、
を有し、
前記色フィルタは、少なくとも隣り合う青のフィルタと黄のフィルタ含み、
前記照明装置は、光源を有し、光源から出力する光の１フレーム期間は、少なくともシアンの光が出力する期間とマゼンタの光が出力する期間を有する、表示装置。
【請求項２】
さらに白のフィルタを有するサブ画素を有する、請求項１記載の表示装置。
【請求項３】
前記光源は、前記１フレーム期間内にさらに白の光を出力する期間を有する、請求項１又は２記載の表示装置。
【請求項４】
前記光源から出力する光の前記１フレーム期間は、さらに白の光を出力する期間を有し、前記白の光を出力する期間は、前記シアンの光とマゼンタの光が同時点灯する期間である、請求項１又は２記載の表示装置。
【請求項５】
前記青のフィルタの面積が前記黄のフィルタの面積よりも小さい、請求項１又は２記載の表示装置。
【請求項６】
前記青のフィルタと前記黄のフィルタとを有し、平面形状がほぼ正方形である画素、
又は、
前記青のフィルタと、前記黄のフィルタと、白のフィルタとを有し、平面形状がほぼ正方形である画素を含む、請求項１記載の表示装置。
【請求項７】
前記第１方向に前記青のフィルタが配列され、
前記第１方向に前記黄のフィルタと白のフィルタが交互に配列されている、請求項１記載の表示装置。
【請求項８】
前記第２方向に前記青のフィルタが配列され、
前記第２方向に前記黄のフィルタと白のフィルタが交互に配列されている、請求項１記載の表示装置。
【請求項９】
１つの青のフィルタが、１つの黄のフィルタと１つの白のフィルタとのそれぞれに対して、割り当てられている請求項７又は８記載の表示装置。
【請求項１０】
１つの青のフィルタが、１つの黄のフィルタと１つの白のフィルタに共有されている、請求項７又は８記載の表示装置。
【請求項１１】
前記光源は、バックライト制御回路に基づき制御される請求項１記載の表示装置。
【請求項１２】
前記青のフィルタと前記黄のフィルタの面積比から求められるフィルタ透過率比と、マゼンタとシアンの光の分光輝度比との相互関係は、色度図上の白色点位置を維持する特性である、請求項１記載の表示装置。
【請求項１３】
第１方向、及び前記第１方向に交差する第２方向に沿って配列される、複数のサブ画素と、各サブ画素に対応している色フィルタと、照明装置と、
を有した表示装置の駆動方法であり、
前記色フィルタは、少なくとも隣り合う青のフィルタと黄のフィルタを含み、
前記照明装置は、１フレーム期間内で、少なくともシアンの光とマゼンタの光を出力する、表示装置の駆動方法。
【請求項１４】
前記照明装置が、前記１フレーム期間内に、白の光を出力する、請求項１３記載の表示装置の駆動方法。
【請求項１５】
前記照明装置が、前記１フレーム期間内に、白の光を出力し、
白の光を出力するフィールドでは、前記シアンの光とマゼンタの光を同時点灯する、請求項１３記載の表示装置の駆動方法。
【発明の詳細な説明】
【技術分野】
【０００１】
この実施形態は、表示装置、表示装置の駆動方法に関する。
【背景技術】
【０００２】
近年、携帯端末が普及している。携帯端末は、スマートフォーン、パーソナルデジタルアシスタントデバイス（ＰＤＡ）、或いはタブレットコンピュータ等を含み、その表示機能も高性能化している。これらの携帯端末は、カラー画像を表示することができる。
【０００３】
カラー画像を表示する技術として、フィールドシーケンシャルカラー（ＦＳＣ）方式がある。ＦＳＣ方式は、従来は照明装置として、赤（Ｒ）の発光デバイス、緑（Ｇ）の発光デバイス及び青（Ｂ）の発光デバイスを使用している。ＦＳＣ方式は、１フレーム期間が、赤（Ｒ）の発光デバイスの発光期間と、緑（Ｇ）の発光デバイスの発光期間と、青（Ｂ）の発光デバイスの発光期間として３つの期間（３つのフィールドと称しても良い）に区分されている。そして、各３つ（Ｒ，Ｇ，Ｂ）のフィールドに対応して赤表示のために選択された画素（選択されたＲ画素）、青表示のために選択された画素（選択されたＢ画素）、緑表示のために選択された画素（選択されたＧ画素）が駆動される。なお発光デバイスとして点光源を用いてもよい。より具体的には当該点光源として、発光ダイオード（ＬＥＤ）を用いてもよい。
【０００４】
上記の選択されたＲ画素、選択されたＢ画素、選択されたＧ画素は、液晶表示パネルに２次元的に配列された多数の画素の中から、Ｒ，Ｇ，Ｂ信号に対応する画素が選択されたものである。選択されたＲ画素、選択されたＢ画素、選択されたＧ画素による各液晶表示画像は独立した期間に表示されるが、目の残像効果により、人間にはカラー画像が視認される。上記のＦＳＣ方式は、液晶表示パネルにカラーフィルタを必要としないので、光の利用率が高い。
【先行技術文献】
【特許文献】
【０００５】
【特許文献１】特開２００５−２５８２４８号公報
【特許文献２】特開２０１０−０３２６２６号公報
【発明の概要】
【発明が解決しようとする課題】
【０００６】
ＦＳＣ方式は、液晶表示パネルにカラーフィルタを必要としないので、光の利用率が高い。しかし、緑（Ｇ）のＬＥＤの発光効率が、青（Ｂ）のＬＥＤの発光効率の１/３程度である。緑（Ｇ）のＬＥＤの発光効率を上げるために供給電圧を高くすると、電力消費が大きくなるという問題点がある。また赤（Ｒ）のＬＥＤの場合、色度に関連している波長が経時変化しやすいという性質があり、色度図の上で白領域を維持するためには、赤（Ｒ）のＬＥＤの色度の変化に合わせて緑（Ｇ）のＬＥＤ、及び青（Ｂ）のＬＥＤの色度も調整する必要がある。しかしこの調整は技術的に困難を伴う。
【０００７】
またカラーブレイクアップ（ＣＢＵ）が生じやすく、画質劣化が伴うという問題もある。このカラーブレイクアップ（ＣＢＵ）は、例えばストライプ状のＲ、Ｇ、Ｂの色をフィールドシーケンシャルで表示する液晶表示パネルの表示面上に、ストライプ状の窓を有する板を配置し、この板をストライプと交差する方向へ振動させたときに、板の窓側から画面上を見て、視覚上で小さい幅の色のストライプが残像として残る現象を言う。本来ならば、表示面が白く見えるほうが好ましい。例えば、白黒のストライプをフィールドシーケンシャルで表示し、視線を素早く動かしたときに、白黒のストライプの端部が色づいて見える現象を言う。
【０００８】
このようなカラーブレイクアップ（ＣＢＵ）を改善するには、１フレーム期間を、ＲＧＢの３フィールド（３つのサブフレームと称してもよい）に対して白（Ｗ）のフィールドを加え全体で４フィールドに設定すると改善が見られる。しかしながら、フレーム内を４フィールドに設定するために、ＬＥＤの駆動回路のフィールド周期をフレーム周期の３倍速から４倍速に上げる必要がある。よって、駆動のための電力消費が増大する。
【０００９】
そこで、実施形態では透過効率を大きく低下させることなく、全体的には電力消費を抑制することができる表示装置、表示装置の駆動方法を提供することを目的としている。
【課題を解決するための手段】
【００１０】
実施形態によれば、表示装置は、第１方向、及び前記第１方向に交差する第２方向に沿って配列される、複数のサブ画素と、各サブ画素に対応している色フィルタと、照明装置と、を有する。前記色フィルタは、少なくとも青のフィルタと黄のフィルタが隣り合い、前記照明装置は、１フレーム期間内で、少なくともシアンの光が出力する期間とマゼンタの光が出力する期間を有する光源を有する。
【図面の簡単な説明】
【００１１】
【図１】図１は、本実施形態における液晶表示装置ＬＣＤの構成例を概略的に示す分解斜視図である。
【図２】図２は、液晶表示パネルＰＮＬの構成及び等価回路を概略的に示す図である。
【図３Ａ】図３Ａは、サブ画素の色フィルタの配置例と照明装置の色の例を示す図である。
【図３Ｂ】図３Ｂは、照明装置の１フレーム期間内のシアンフィールドとマゼンタフィールドに対して、色フィルタから出力する発光色の関係を示す図である。
【図３Ｃ】図３Ｃは、照明装置のシアンフィールドとマゼンタフィールドに対して、色フィルタから出力する発光色の強度の例を示す図である。
【図４Ａ】図４Ａは、サブ画素の色フィルタの配置と照明装置の色の他の例を示す図である。
【図４Ｂ】図４Ｂは、照明装置の１フレーム期間内のシアンフィールド、ホワイトフィールドとマゼンタフィールドに対して、色フィルタから出力する発光色の関係を示す図である。
【図４Ｃ】図４Ｃは、照明装置のシアンフィールド、ホワイトフィールドとマゼンタフィールドに対して、色フィルタから出力する発光色の強度の例を示す図である。
【図５】図５は、青フィルタと黄フィルタの透過率と、青（Ｂ）ＬＥＤ、緑（Ｇ）蛍光体、赤（Ｒ）蛍光体の発光エネルギーを示す図である。
【図６】図６は、一実施形態における黄フィルタを有するサブ画素と青フィルタを有するサブ画素の開口率及び透過率と、フィルタが無いサブ画素の開口率及び透過率とを比較して示す図である。
【図７Ａ】図７ＡはＲのＬＥＤ、ＧのＬＥＤ及びＢのＬＥＤの各輝度と電流の関係、及び輝度と電流の乗算結果を１００として定義した場合、蛍光体ＬＥＤ（白（Ｗ）発光ＬＥＤに対して蛍光体を塗布した素子）の輝度と電流の乗算結果を示している、さらに乗算結果をＬＥＤ効果として定義して示す、図である。
【図７Ｂ】図７Ｂは、従来のフィールドシーケンス方式における開口率、透過率、ＬＥＤ効果に対して、本願の実施形態の開口率、透過率、ＬＥＤ効果を比較して示す図である。
【図８Ａ】図８Ａは、表示色が原色Ｒ，Ｇ，Ｂを含むエリアで変化する場合、色度図上において色が変化する距離を示す説明図である。
【図８Ｂ】図８Ｂは、表示色がシアンとマゼンタのエリアで変化する場合、色度図上において色が変化する距離を示す説明図である。
【図９Ａ】図９Ａは、他の実施形態であり、照明装置がシアンの発光フィールド、マゼンタの発光フィールドに加えて白（Ｗ）の発光フィールドを有する場合の動作を示すタイムチャートである。
【図９Ｂ】図９Ｂは、更に他の実施形態であり、照明装置がシアンの発光フィールド、マゼンタの発光フィールドに加えて白（Ｗ）の発光フィールドを有し、さらに、フィルタも黄、青、白（Ｗ）フィルタを有する場合の動作を示すタイムチャートである。
【図１０Ａ】図１０Ａは、フィルタが、白（Ｗ），黄（Ｙ），青（Ｂ）を含む場合の実施形態を示す図である。
【図１０Ｂ】図１０Ｂは、図１０Ａのフィルタに対応する画素回路の例を示す図である。
【図１１Ａ】図１１Ａは、フィルタが、白（Ｗ），黄（Ｙ），青（Ｂ）を含む場合の他の実施形態を示す図である。
【図１１Ｂ】図１１Ｂは、図１１Ａのフィルタに対応する画素回路の例を示す図である。
【図１１Ｃ】図１１Ｃは、図１１Ａのフィルタに対応する画素回路の他の例を示す図である。
【図１２Ａ】図１２Ａは、フィルタが、白（Ｗ），黄（Ｙ），青（Ｂ）を含む場合のさらに他の実施形態を示す図である。
【図１２Ｂ】図１２Ｂは、図１２Ａのフィルタに対応する画素回路の例を示す図である。
【図１２Ｃ】図１２Ｃは、図１２Ａのフィルタに対応する画素回路の他の例を示す図である。
【図１３】図１３は、黄フィルタと青フィルタの分光透過率のグラフの例を示す図である。
【図１４】図１４は、黄フィルタと青フィルタの面積比の計算例を示す説明図である。
【図１５】図１５は、照明装置のマゼンタＬＥＤとシアンＬＥＤを同時に発光させた場合の、分光輝度の特性例を示す図である。
【図１６】図１６は、図１３で示す２つのフィルタの分光透過率と図１４で示す２つのフィルタの面積比と図１５で示した分光輝度を利用して、青フィルタと黄フィルタの透過率比と、マゼンタとシアンの照明装置輝度比との関係をグラフ化して示す図である。
【発明を実施するための形態】
【００１２】
以下、本発明に係る実施形態を図面を参照して説明する。  
なお開示は一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、本発明の解釈を限定するものではない。また、本明細書と各図において、既出の図に関して前述したものと同一又は類似した機能を発揮する構成要素には同一の参照符号を付し、重複する詳細な説明を省略することがある。
【００１３】
図１は、本実施形態における液晶表示装置ＬＣＤの構成例を概略的に示す分解斜視図である。液晶表示装置ＬＣＤは、アクティブマトリクス型の液晶表示パネルＰＮＬ、両面テープＴＰ、光学シートＯＳ、フレームＦＲ、導光板ＬＧ、光源ユニットＬＵ、反射シートＲＳ、ベゼルＢＺなどを備えている。面光源装置ＬＳは、液晶表示パネルＰＮＬに光を入射させる照明装置である。面光源装置ＬＳは、少なくとも導光板ＬＧ及び光源ユニットＬＵを備えて構成されている。
【００１４】
液晶表示パネルＰＮＬは、平板状の第１基板ＳＵＢ１と、第１基板ＳＵＢ１に対向配置された平板状の第２基板ＳＵＢ２と、第１基板ＳＵＢ１と第２基板ＳＵＢ２との間に保持された液晶層と、を備えている。なお、液晶層は、液晶表示パネルＰＮＬの厚みに比べて極めて薄く、第１基板ＳＵＢ１と第２基板ＳＵＢ２とを貼り合せるシール材の内側に位置しているため、その図示を省略している。
【００１５】
液晶表示パネルＰＮＬは、第１基板ＳＵＢ１と第２基板ＳＵＢ２とが対向する領域に画像を表示する表示エリアＤＡを含む。図示した例では、表示エリアＤＡは、長方形状に形成されておりアクティブエリアと称される場合もある。液晶表示パネルＰＮＬは、面光源装置ＬＳからの光を選択的に透過することで画像を表示する透過表示機能を備えた透過型液晶表示パネルである。液晶表示パネルＰＮＬは、表示モードとして、主として基板主面に略平行な横電界を利用する横電界モードに対応した構成を有していても良いし、主として基板主面に略垂直な縦電界を利用する縦電界モードに対応した構成を有していても良い。
【００１６】
図示した例では、液晶表示パネルＰＮＬを駆動するのに必要な信号を供給する信号供給源として、駆動ＩＣチップＣＰ及びフレキシブルプリント回路基板ＦＰＣが第１基板ＳＵＢ１に実装されている。
【００１７】
光学シートＯＳは、光透過性を有しており、液晶表示パネルＰＮＬの裏面側に位置し、少なくとも表示エリアＤＡと対向している。光学シートＯＳとしては、拡散シートＯＳＡ、プリズムシートＯＳＢ、プリズムシートＯＳＣ、拡散シートＯＳＤなどが含まれる。図示した例では、これらの光学シートＯＳは、いずれも長方形状に形成されている。なお、光学シートＯＳに含まれる拡散シートやプリズムシートの数、積層等の構成は一例であり、図１に示す例に限定されるものではない。
【００１８】
フレームＦＲは、液晶表示パネルＰＮＬとベゼルＢＺとの間に位置している。図示した例では、フレームＦＲは、矩形枠状に形成されており、表示エリアＤＡと対向する長方形状の開口部ＯＰを有している。なお、フレームＦＲの形状は一例であり、図１に示す例に限定されるものではない。また、フレームＦＲが必要ない場合は、設けなくてもよい。
【００１９】
両面テープＴＰは、表示エリアＤＡの外側で液晶表示パネルＰＮＬとフレームＦＲとの間に位置している。この両面テープＴＰは、例えば遮光性を有しており、矩形枠状に形成されている。なお、表示パネルＰＮＬ及びフレームＦＲが、両面テープＴＰを用いることなく固定されることができれば、両面テープＴＰは設けなくてもよい。
【００２０】
導光板ＬＧは、フレームＦＲとベゼルＢＺとの間に位置している。導光板ＬＧは、平板状に形成され、第１主面ＬＧＡ、第１主面ＬＧＡとは反対側の第２主面ＬＧＢ、及び、第１主面ＬＧＡと第２主面ＬＧＢとを繋ぐ側面ＬＧＣを有している。
【００２１】
光源ユニットＬＵは、導光板ＬＧの側面ＬＧＣに沿って配置されている。光源ユニットＬＵは、それぞれ光源として機能する複数の発光ダイオードＬＥＤ、複数の発光ダイオードＬＥＤが実装されるフレキシブル回路基板ＬＦＰＣなどを備えている。図示した例では、これらの発光ダイオードＬＥＤは、導光板ＬＧの短辺に平行な側面ＬＧＣに沿って一列に並んでいる。なお、発光ダイオードＬＥＤは、導光板ＬＧの長辺に平行な他の側面（側面ＬＧＣに交差する側面）に沿って並んでいても良い。つまり、図１では発光ダイオードＬＥＤは、第１方向Ｘに並んでいるが、これと交差する第２方向Ｙに並んでもよい。発光ダイオードＬＥＤは、後で詳細に説明するようにフィールドシーケンシャル方式で駆動される。
【００２２】
反射シートＲＳは、光反射性を有しており、ベゼルＢＺと導光板ＬＧとの間に位置している。図示した例では、反射シートＲＳは、長方形状に形成されている。
【００２３】
ベゼルＢＺは、上記の液晶表示パネルＰＮＬ、両面テープＴＰ、光学シートＯＳ、フレームＦＲ、導光板ＬＧ、光源ユニットＬＵ、反射シートＲＳを収容している。図示した例では、面光源装置ＬＳは、液晶表示パネルＰＮＬの背面側、つまり第１基板ＳＵＢ１と対向する側に配置されており、照明装置（この場合は、所謂バックライト）として機能する。
【００２４】
図２は、液晶表示パネルＰＮＬの構成及び等価回路の一例を概略的に示す図である。表示装置は、アクティブマトリクスタイプの液晶表示パネルＰＮＬを備えている。液晶表示パネルＰＮＬは、第１基板ＳＵＢ１と、第１基板ＳＵＢ１に対向配置された第２基板ＳＵＢ２と、第１基板ＳＵＢ１と第２基板ＳＵＢ２との間に保持された液晶層ＬＱと、を備える。表示エリアＤＡは、第１基板ＳＵＢ１と第２基板ＳＵＢ２との間に液晶層ＬＱが保持された領域に相当し、例えば、四角形状であり、マトリクス状に配置された複数のサブ画素を含む。このようにそれぞれのサブ画素が、第１方向Ｘのゲート配線と第２方向Ｙのソース配線が交差したそれぞれの交差部の付近に配列され、前記複数のサブ画素のそれぞれに対して選択的にサブ画素信号を与える駆動回路が設けられている。
【００２５】
なお本明細書では、１つのサブ画素は、１つの画素回路と１つの色フィルタが一体となった構成のものを言う。従って１つのサブ画素の場合は、１つの色フィルタを備え、単色を表現する。サブ画素に対して、異なる色フィルタを備えた複数のサブ画素が集合して、原色から中間色の多彩な色表現が可能な最小単位を、単純に画素或いは複合画素と言うことにする。サブ画素の組み合わせとしては、後でも説明するように赤，緑，青のフィルタを備えるサブ画素の組み合わせ、黄と青のフィルタを備えるサブ画素の組み合わせ、黄、青と白のフィルタを備えるサブ画素の組み合わせなどがある。
【００２６】
第１基板ＳＵＢ１は、表示エリアＤＡにおいて、第１方向Ｘ（行方向或いは横方向と称しても良い）に沿って延出した複数のゲート配線Ｇ（Ｇ１〜Ｇｎ）、第１方向Ｘに交差する第２方向Ｙ（列方向或いは縦方向と称しても良い）に沿って延出した複数のソース配線Ｓ（Ｓ１〜Ｓｍ）を備えている。
【００２７】
また各サブ画素は、図２の右側に１つを代表して示す（一点鎖線で囲まれた領域）ように、ゲート配線Ｇ及びソース配線Ｓと電気的に接続されたスイッチング素子ＳＷ、各サブ画素においてスイッチング素子ＳＷに電気的に接続された画素電極ＰＥ、画素電極ＰＥと向かい合う共通電極ＣＥ１などを備えている。共通電極ＣＥ１が２本示されているが、実際には一体化した電極である。蓄積容量ＣＳは、例えば、共通電極ＣＥ１と画素電極ＰＥとの間に形成される。第２基板ＳＵＢ２は、液晶層ＬＱを介して第１基板ＳＵＢ１と対向している。なお、蓄積容量ＣＳは、必要に応じて設けてもよいし、設けなくてもよい。例えば、液晶表示装置ＬＣＤが、ＦＦＳ（Ｆｒｉｎｇｅ  Ｆｉｅｌｄ  Ｓｗｉｔｃｈｉｇ）モードである場合は、画素電極ＰＥと共通電極ＣＥ１、及びその間に配置される絶縁物が蓄積容量ＣＳとして機能するため、蓄積容量ＣＳを別に設けなくてもよい。
【００２８】
各ゲート配線Ｇ（Ｇ１〜Ｇｎ）は、表示エリアＤＡの外側に引き出され、第１駆動回路ＧＤに接続されている。各ソース配線Ｓ（Ｓ１〜Ｓｍ）は、表示エリアＤＡの外側に引き出され、第２駆動回路ＳＤに接続されている。第１駆動回路ＧＤ及び第２駆動回路ＳＤは、例えばその少なくとも一部が第１基板ＳＵＢ１上に形成され、駆動ＩＣチップ（液晶ドライバ、或いは駆動回路制御部と称される場合もある）ＣＰと接続されている。
【００２９】
第２駆動回路ＳＤは、カラム反転駆動方法を実現するために、隣り合う列のソース配線に対して画素信号を出力する場合、異なる極性の画素信号を出力することができる。駆動ＩＣチップＣＰは、第１駆動回路ＧＤ及び第２駆動回路ＳＤを制御するコントローラを内蔵し、液晶表示パネルＰＮＬを駆動するのに必要な信号を供給する信号供給源として機能する。図示した例では、駆動ＩＣチップＣＰは、液晶表示パネルＬＰＮの表示エリアＤＡの外側において、第１基板ＳＵＢ１上に実装されている。
【００３０】
共通電極ＣＥ１は、表示エリアＤＡの全域に亘って延在しており、複数のサブ画素に対して共通に形成されている。共通電極ＣＥ１は、表示エリアＤＡの外側に引き出され、給電部Ｖｃｏｍに接続されている。給電部Ｖｃｏｍは、例えば表示エリアＤＡの外側において第１基板ＳＵＢ１に形成され、共通電極ＣＥ１と電気的に接続される。給電部Ｖｃｏｍには、一定の共通電圧が供給される。
【００３１】
複数のサブ画素には、色フィルタが所定の規則で配列されている。色フィルタは、液晶層ＬＱを挟んで画素電極に対向し、第２基板ＳＵＢ２に形成されている。
【００３２】
上記した複数のサブ画素は、例えば第１列、第２列、第３列、・・・・を形成し、第１列の色フィルタが青（Ｂ），第２列の色フィルタが黄（Ｙ）であり、この色が第１方向Ｘへ繰り返している。さらに、青フィルタの幅Ｈ１、と黄フィルタの幅Ｈ２を比較した場合、青フィルタより黄フィルタの幅が広く形成されている。
【００３３】
図３Ａは、各サブ画素の色フィルタの配置例と照明装置の色の例を示している。図３Ａでは色フィルタの配置を分かり易くするために、第１基板ＳＵＢ１側のソース配線Ｓ（Ｓ１〜Ｓｍ）などの構成を省略して示している。
【００３４】
第１方向Ｘ（図の横方向）に青フィルタ（幅Ｈ１）と黄フィルタ（幅Ｈ２）が繰り返し配列されている。色フィルタは、第２基板ＳＵＢ２に形成されている。この表示装置では、その面光源装置、つまり照明装置がフィールドシーケンシャル方式で駆動される。ここで、照明装置の複数の発光ダイオードＬＥＤは、発光色がシアンと、マゼンタの発光ダイオードを含む。この複数の発光ダイオードＬＥＤは、フレキシブル回路基板ＬＦＰＣに実装されている。
【００３５】
シアンの発光ダイオードは、例えば、青の発光ダイオードに対して緑の蛍光体を積層することにより実現することが出来る。マゼンタの発光ダイオードは、例えば青の発光ダイオードに対して赤の蛍光体を積層することにより実現することができる。シアンの発光ダイオードは例えば１フレームの前半の1/2期間にオン（点灯）し、後半の1/2期間にオフ（消灯）する。一方マゼンタの発光ダイオードは、１フレームの前半の1/2期間にオフ（消灯）し、後半の1/2期間にオン（点灯）するように駆動される。
【００３６】
発光ダイオードＬＥＤは、導光板の短辺に平行に一列に並んでいる。発光ダイオードＬＥＤから出射した光は、導光板に入射する。これにより導光板から出射した面発光（シアンとマゼンタが周期的に繰り返す光）は、光透過状態の画素を透過する。ここで、面発光は、駆動方式がフィールドシーケンシャル方式であるために、シアンとマゼンタが周期的に繰り返す光となる。
【００３７】
図３Ｂは、照明装置の発光色であるシアン、マゼンタのフィールドと、色フィルタから出射される光の色との関係を示している。照明装置は、１フレームの期間にシアンフィールド（1/2フレーム）とマゼンタフィールド（1/2フレーム）を有する。シアンフィールド（1/2フレーム）で表示装置の表示面で表示可能な色は、青（Ｂ）と緑（Ｇ）である。これに対してマゼンタフィールド（1/2フレーム）で表示装置の表示面で表示可能な色は、青（Ｂ）と赤（Ｒ）である。
【００３８】
図３Ｂから分かるように、青（Ｂ）は、シアンフィールド、マゼンタフィールドのいずれであっても表示可能である。これに対して、緑（Ｇ）はシアンフィールドのみで表示可能であり、赤（Ｒ）はマゼンタフィールドのみで表示可能である。この結果、青（Ｂ）の出力レベル（発光強度）が、緑（Ｇ），赤（Ｒ）よりも強くなる傾向がある。
【００３９】
このようなアンバランスを解決するために、本装置では、例えば図３Ａ及び図３Ｃに示すように、青（Ｂ），緑（Ｇ）、赤（Ｒ）の発光色のバランスのとれた発光強度が得られるように工夫されている。
【００４０】
即ち、青フィルタの面積が黄フィルタの面積よりも小さくなるように、青フィルタの幅Ｈ１を黄フィルタの幅Ｈ２よりも小さくしている。これにより、図３Ｃに示すように、１フレーム期間において、青（Ｂ）の発光強度と、緑（Ｇ）の発光強度と、赤（Ｒ）の発光強度がほぼ等しくなるように工夫している。
【００４１】
なお、ホワイトバランスを得るためには、青（Ｂ）の発光強度と、緑（Ｇ）の発光強度と、赤（Ｒ）の発光強度が必ずしも等しいとは限らない。色度図上のホワイトの位置を得るためには、各色フィルタの特性（透過率など）を考慮した上で、青（Ｂ）、緑（Ｇ），赤（Ｒ）の発光強度が設定されることが好ましい。
【００４２】
上記の実施形態は、１フレームがシアンフィールド、マゼンタフィールドの２つのフィールドを含むが、これに限定されるものではない。
【００４３】
図４Ａ、図４Ｂ及び図４Ｃでは、１フレームがシアンフィールド、マゼンタフィールド及びホワイトフィールドの３つのフィールドを含んで示している。従って、図４Ａに示すように、照明装置を構成する複数の発光ダイオードＬＥＤは、発光色がシアンと、ホワイト及びマゼンタの発光ダイオードを含む。
【００４４】
なお、図３Ａ及び図４Ａに示した複数の発光ダイオードＬＥＤを有する光源ユニットＬＵは、導光板の第１方向Ｘの端面側に配置されている。しかし、光源ユニットＬＵの配置位置は、限定されるものではない。光源ユニットＬＵは、導光板の第２方向Ｙの端面に配置してもよい。図４Ａに示す光源ユニットＬＵは、シアンフィールド、ホワイトフィールド、及びマゼンタフィールドを提供することができる。図４Ａではホワイトの発光ダイオードを示しているが、必ずしもホワイトの発光ダイオードを光源ユニットＬＵが持つ必要はない。これは、ホワイトフィールドは、後で説明する図９Ａ、図９Ｂのように、シアンとマゼンタの発光ダイオードを同時点灯することで提供されることができるからである。
【００４５】
図４Ｂは、１フレーム期間がシアンフィールド、ホワイトフィールド及びマゼンタフィールドに分割されたタイムシーケンスを示している。そして、照明装置の発光色であるシアン、ホワイト及びマゼンタのフィールドと、色フィルタから出射される光の色との関係を示している。照明装置は、１フレームの期間にシアンフィールド（1/3フレーム）、ホワイトフィールド（1/3フレーム）及びマゼンタフィールド（1/3フレーム）を有する。シアンフィールド（1/3フレーム）で表示装置の表示面で表示可能な色は、青（Ｂ）と緑（Ｇ）である。ホワイトフィールド（1/3フレーム）で表示装置の表示面で表示可能な色は、青（Ｂ）、緑（Ｇ）及び赤（Ｒ）であり、このときは結局、白（Ｗ）を表示可能である。マゼンタフィールド（1/3フレーム）で表示装置の表示面で表示可能な色は、青（Ｂ）と赤（Ｒ）である。
【００４６】
図４Ｃは、図３Ｃに示した１フレーム期間における、シアンフィールドと、マゼンタフィールドに加えて、白（Ｗ＝Ｒ，Ｇ，Ｂ）の発光フィールドが増えた様子を示している。この実施形態では、１フレームが３フィールドに分割されたので、照明装置の切り替え周波数は、先の実施形態の１フレームが２フィールドに分割された場合に比べて、増加する。しかし、Ｗフィールドを有する従来の装置の場合は、Ｒ、Ｇ、ＢとＷフィールドの４フィールドであり、従来の装置よりもこの実施形態の場合が、１フィールド少ない。よって、Ｗフィールドが増加されたとしても、従来の装置ほど本実施形態の電力消費量は増加しない。
【００４７】
図５は、波長に応じた青フィルタと黄フィルタの透過率を示している。また波長に応じて青（Ｂ）のＬＥＤ、緑（Ｇ）の蛍光体、赤（Ｒ）の蛍光体の発光エネルギーが変化する特性曲線を示している。青フィルタの透過率を示す特性曲線と、青（Ｂ）のＬＥＤの発光エネルギーの特性曲線は、ほぼ一致している。緑（Ｇ）の蛍光体の発光エネルギーは、５４０nm〜５５０nmの近傍の緑の光が黄フィルタを透過する。赤（Ｒ）の蛍光体の発光エネルギーは、６３０nm〜６５０nmの近傍の赤の光が黄フィルタを透過する。
【００４８】
図６は、一実施形態における黄フィルタを有する画素と、青フィルタを有するサブ画素の開口率及び透過率と、フィルタが無いサブ画素の開口率及び透過率とを比較して示す図である。フィルタが無いサブ画素の開口率は７８．８％、透過率は２５．３％である。これに対して実施形態の黄フィルタを有するサブ画素の開口率は６７．０％、透過率は１３．０％、青フィルタを有するサブ画素の開口率は５７．８％、透過率は０．３４％である。
【００４９】
図７Ａは、ＬＥＤ効果を求めるために参照される要素を示している。図７Ａでは、赤（Ｒ）のＬＥＤ、緑（Ｇ）のＬＥＤ及び青（Ｂ）のＬＥＤの各輝度（１．７カンデラ）と電流（３０ｍＡ）を示している。この数値は、ＬＥＤが１．７カンデラの発光を得るのに３０ｍＡの電流を必要とすることを示している。この値からＬＥＤ効果を求めている。つまりＬＥＤ効果は、電流に対する輝度レベルである。例えば｛（１．７）／３０｝＝０．０５６を求めている。さらにこのＬＥＤ効果０．０５６を１００として定義している。
【００５０】
一方、図７Ａは、蛍光体ＬＥＤ（所定色の発光ＬＥＤに対して蛍光体を積層塗布してシアン又はマゼンタの光が出力されるように構成した素子）の輝度（２．７カンデラ）と電流（２０ｍＡ）を示している。この数値は、蛍光体ＬＥＤが２．７カンデラを得るのに２０ｍＡの電流を必要とすることを示している。この値からＬＥＤ効果｛（２．７）／２０｝＝０．１３５を求めることができる。そして、先のＬＥＤ効果０．０５６＝１００からの相対値２５１を求めている。
【００５１】
なお、シアンの発光は、青（Ｂ）を発光するＬＥＤに対して緑（Ｇ）の発光蛍光体を組み合わせることで得ることができる。またマゼンタの発光は、青（Ｂ）を発光するＬＥＤに対して赤（Ｒ）の発光蛍光体を組み合わせることで得ることができる。
【００５２】
図７Ａではさらに、デューティーロス込みの値を示している。デューティーロスとは、フィールドシーケンシャルによる駆動を行うと、ＬＥＤ効果が１０％程度低下するという実験結果から導いた値である。
【００５３】
したがって、ＬＥＤ効果１００は、デューティーロスを考慮するとＬＥＤ効果９０となり、ＬＥＤ効果２５１は、デューティーロスを考慮するとＬＥＤ効果２２６となる。
【００５４】
図７Ｂは、従来のフィールドシーケンス方式における開口率、透過率、ＬＥＤ効果に対して、本願の実施形態の開口率、透過率、ＬＥＤ効果を比較して示す図である。ＲのＬＥＤ、ＧのＬＥＤ及びＢのＬＥＤの時分割発光でフィルタ無しにより実現するＲＧＢフィールドシーケンシャル方式は、開口率７８．８％、透過率２５．３％、ＬＥＤ効果９０である。
【００５５】
これに対して、青フィルタと黄フィルタ、バックライトの発光色がシアン、マゼンタにより実現する第１のフィールドシーケンシャル方式では、開口率（Ｂ＝５７．８％、Ｙ＝６７．８％）、透過率１３．３％、ＬＥＤ効果２２６である（但しＢフィルタとＹフィルタの面積比が１：２の場合である）。或いは、青フィルタと黄フィルタ、照明装置の発光色がシアン、マゼンタにより実現する第２のフィールドシーケンシャル方式では、開口率（Ｂ＝４９．９％、Ｙ＝７３．０％）、透過率１６．１％、ＬＥＤ効果２２６である（但しＢフィルタとＹフィルタの面積比が１：３の場合である）。
【００５６】
ここで、透過率ａとＬＥＤ効果ｂとを乗算し、照明装置の電力効率とすると、
上記のＲＧＢフィールドシーケンシャル方式・・・２２．８
上記の第１のフィールドシーケンシャル方式・・・３０．１
上記の第２のフィールドシーケンシャル方式・・・３６．４
となる。これにより本願の実施形態の照明装置の電力効率が優れていることが分かる。
【００５７】
図８Ａは、表示色が原色Ｒ，Ｇ，Ｂを含むエリアで変化する場合、色度図上において色が変化する距離を矢印で示している。また図８Ｂは、表示色がシアンとマゼンタのエリアで変化する場合、色度図上において色が変化する距離を矢印で示している。両者を比べると分かるように、表示色が、シアンとマゼンタのエリアで表示色が変化する場合の距離が原色Ｒ，Ｇ，Ｂを含むエリアで変化する場合の距離よりも短い。これは、表示色が変化したとき色度の差が小さいことを意味する。これにより、カラーブレイクアップ（ＣＢＵ）が低減される。
【００５８】
図９Ａは、さらに他の実施形態であり、照明装置がシアンの発光フィールド、マゼンタの発光フィールドに加えて白（Ｗ）の発光フィールドを有する場合の動作を示すタイムチャートである。白（Ｗ）の発光フィールドを得るためには、シアンの蛍光体ＬＥＤと、マゼンタの蛍光体ＬＥＤとを同時に点灯する。したがって、図４Ａで示したような白（Ｗ）の発光ダイオードを必要としない。この点灯制御は、図示していないが、ＬＣＤを駆動する駆動ＩＣチップＣＰ（図２に示した）内の照明装置制御回路（バックライト制御回路と称してもよい）により実行される。
【００５９】
これにより、シアンの発光フィールドでは、緑と青及び緑と青の中間の色の色表現が可能であり、マゼンタの発光フィールドでは、赤と青及び赤と青の中間の色の色表現が可能である。白（Ｗ）の発光フィールドでは、赤、緑、青（つまり白（Ｗ））の色表現が可能である。
【００６０】
図９Ｂは、更にまた他の実施形態である。図９Ａの実施形態では、色フィルタは、黄フィルタと青フィルタが使用された。しかし図９Ｂの実施形態では、色フィルタは、黄フィルタと青フィルタと白（Ｗ）フィルタが使用されている。照明装置の発光手順は、図９Ａの場合と同じである。つまり、照明装置がシアンの発光フィールド、マゼンタの発光フィールドに加えて白（Ｗ）の発光フィールドを有する。
【００６１】
シアンの発光フィールドでは、青と緑とその中間の色の色表現が可能であり、マゼンタの発光フィールドでは、青と赤とその中間の色の色表現が可能である。そして、白（Ｗ）の発光フィールドでは、赤、緑、青（つまり白（Ｗ））の色表現が可能である。
【００６２】
図１０Ａは、フィルタが、白（Ｗ），黄（Ｙ），青（Ｂ）を含む場合の実施形態を示す図である。この実施形態では、白（Ｗ），黄（Ｙ），青（Ｂ）の各フィルタの面積が等しく形成されている。この白（Ｗ），黄（Ｙ），青（Ｂ）のフィルタには、それぞれサブ画素が対応している。白（Ｗ），黄（Ｙ），青（Ｂ）のフィルタ及びそれぞれサブ画素のまとまりを１つの画素（或いは単位画素）と称することができる。この画素によりＲＧＢのいずれの色も表現が可能であり、サブ画素は、画素を形成するためのものである。この画素（白（Ｗ），黄（Ｙ），青（Ｂ）の合成フィルタ）の形状は、平面的に見た場合、例えば正方形である。
【００６３】
図１０Ｂは、図１０Ａのフィルタに対応する画素回路の例を示す図である。各サブ画素を形成する画素回路の個々の構成は、図２で説明した。即ち、各サブ画素の画素回路は、それぞれスイッチ素子を有し、このスイッチ素子は、例えば、薄膜トランジスタ（ＴＦＴ）で構成され、ゲートがゲート線Ｇに接続され、ソースが信号線Ｓに接続され、ドレインが液晶層の液晶を駆動する画素電極に接続されている。
【００６４】
図１１Ａは、フィルタが、白（Ｗ），黄（Ｙ），青（Ｂ）を含む場合の他の実施形態を示す図である。この実施形態は、黄（Ｙ）のフィルタと白（Ｗ）のフィルタのそれぞれの面積が、青（Ｂ）のフィルタの面積よりも大きく形成されている。
【００６５】
図１１Ｂは、図１１Ａのフィルタに対応する画素回路の例を示す図である。各サブ画素を形成する画素回路の個々の構成は、図２で説明した。列方向（第２方向Ｙ）に見た場合、青（Ｂ）のサブ画素は、連続して配置されている。しかし、列方向（第２方向Ｙ）に黄（Ｙ）のサブ画素と白（Ｗ）のサブ画素を見た場合、交互に配置されている。また、黄（Ｙ）のサブ画素と白（Ｗ）のサブ画素は、行方向（第１方向Ｘ）に見た場合も交互に配置されている。この実施形態においても画素（単位画素）の平面形状は、正方形である。また図１１Ｂの構成では、１つの青（Ｂ）のフィルタが、１つの黄（Ｙ）のフィルタと１つの白（Ｗ）のフィルタとのそれぞれに対して、割り当てられている。すなわち、図１１Ｂの構成では、１つの青（Ｂ）のフィルタは、１つの画素内に配置されている。
【００６６】
図１１Ｃは、図１１Ａのフィルタに対応する画素回路の他の例を示す図である。図１１Ｂに示した画素回路と、図１１Ｃに示した画素回路の違いは、青（Ｂ）のサブ画素が、２行に跨って形成されていることである。つまり、ゲート配線Ｇ１とソース配線Ｓ１に対して青（Ｂ）のサブ画素のスイッチング素子のソースとゲートがそれぞれ接続され、このスイッチング素子とともにサブ画素を含む画素電極及び青（Ｂ）のフィルタが、第１行から第２行まで拡張して形成されている。このように１つの青（Ｂ）のフィルタが、１つの黄（Ｙ）のフィルタと１つの白（Ｗ）のフィルタに対して共有されている。すなわち、図１Ｃの構成では、１つの青（Ｂ）のフィルタは、複数の画素に跨って配置されている。
【００６７】
図１２Ａは、フィルタが、白（Ｗ），黄（Ｙ），青（Ｂ）を含む場合のさらに他の実施形態を示す図である。この実施形態は、第１行の行方向（第１方向Ｘ）に黄（Ｙ）のサブ画素と白（Ｗ）のサブ画素が繰り返して配置され、第２行の行方向（第１方向Ｘ）に青（Ｂ）のサブ画素が配置され、１つの青（Ｂ）のサブ画素が、白（Ｗ）と黄（Ｙ）の２つのサブ画素の長さを有する。例えば図１２Ａのフィルタに対応する画素回路の例を示す図１２Ｂにおいては、ゲート配線Ｇ２とソース配線Ｓ１に対して青（Ｂ）のサブ画素のスイッチング素子のソースとゲートがそれぞれ接続され、このスイッチング素子とともにサブ画素を含む画素電極及び青（Ｂ）のフィルタが、第１列から第２列まで拡張して形成されている。この実施形態においても画素（単位画素）の平面形状は、正方形である。
【００６８】
図１２Ｃは、図１２Ａのフィルタに対応する画素回路の他の例を示す図である。図１２Ｂに示した画素回路と、図１２Ｃに示した画素回路の違いを述べる。図１２Ｂの青（Ｂ）のサブ画素は、２列に跨って形成されているが、図１２Ｃに示す青（Ｂ）のサブ画素は、各列に形成されている。
【００６９】
図１３は、青（Ｂ）のフィルタと黄（Ｙ）のフィルタとの分光透過率の曲線の例を示す図である。青（Ｂ）のフィルタは、４５０ｎｍ近傍の波長の光を透過しやすい（この透過率を例えばＴｂとする）。黄（Ｙ）のフィルタは、５８０ｎｍ近傍の波長光を透過しやすい（この透過率を例えばＴｙとする）。
【００７０】
図１４は、画素に対する青（Ｂ）のフィルタと黄（Ｙ）のフィルタとの面積比の計算例を示す説明図である。例えば黄（Ｙ）のフィルタの幅ａ、青（Ｂ）のフィルタの幅ｂであり，両フィルタの長さは同じであるとする。すると、
青（Ｂ）のフィルタの面積比＝ｂ／（ａ＋ｂ）
黄（Ｙ）のフィルタの面積比＝ａ／（ａ＋ｂ）
と記載することができる。
【００７１】
上記のように、青（Ｂ）のフィルタと黄（Ｙ）のフィルタとの分光透過率Ｔｂ，Ｔｙが分かっているので、このフィルタ分光透過率Ｔｂ，Ｔｙと、青（Ｂ）のフィルタと黄（Ｙ）のフィルタとの面積比（ｂ／（ａ＋ｂ））、（ａ／（ａ＋ｂ））とからカラーフィルタの透過率比を得ることができる。
【００７２】
カラーフィルタの透過率比は、例えば
（Tb×b/(a+b)）/(Ty×a/(a+b))  と表すことができる
図１５は、照明装置のマゼンタＬＥＤとシアンＬＥＤを同時に発光させた場合の、分光輝度の特性例を示す図である。分光輝度の特性は、４５０ｎｍ近傍と、５８０ｎｍ近傍の波長の光のエネルギーが高いことを表している。しかし、４５０ｎｍ近傍の波長の光のエネルギーが、５８０ｎｍ近傍の波長の光のエネルギーよりも強い。この特性からマゼンタとシアンの輝度比を求めることができる。所謂照明装置の輝度比は、例えば（４５０ｎｍ輝度／５８０ｎｍの輝度）で求めることができる。
【００７３】
図１６は、先のカラーフィルタの透過率比（Tb×b/(a+b)）/(Ty×a/(a+b))と、照明装置の輝度比（４５０ｎｍ輝度／５８０ｎｍの輝度）と関係を、色度の基準となる白の色度点からの色度ずれ量Δｙに基づいて示す図である。  
なお、図１６では、カラーフィルタの透過率比を横軸に示し、照明装置の輝度比を縦軸に示している。
【００７４】
ここで照明装置輝度比は、照明装置のマゼンタとシアンを同時点灯したときの分光輝度の特性（図１５に示した）において、（４５０ｎｍの輝度／５８０ｎｍの輝度）を計算したものである。
【００７５】
Δｙ＝−０．０２以下 
Δｙ＝−０．０２〜０．００
Δｙ＝０．００〜０．０２
Δｙ＝０．０２〜０．０４
Δｙ＝０．０４〜０．０６
Δｙ＝０．０６以上
がグラフで示されている。白の色度点からのずれ量Δｙ＝０．００の特性ラインは、太い点線で示している。ずれ量Δｙが０．００以下であれば、色度の基準となる白が良好に得られる。
【００７６】
従って、設計段階において、照明装置の輝度比又はカラーフィルタの透過率比のいずれか一方が決まれば、このグラフの特性を利用して他方の透過率比または輝度比を決めることができる。
【００７７】
上記の説明のように、青のフィルタと黄のフィルタの面積比から求められるフィルタ透過率比と、マゼンタとシアンの光の分光輝度比との相互関係は、色度図上の白色点位置を維持することを含む特性である。したがって、前記の相互関係は、色度図上の白色点位置を維持する特性にセットされることが可能である。
【００７８】
上記したグラフの特性ラインを表す式は、例えば
２６５−０．４１９×（カラーフィルタの透過率比）
−０．０４１×照明装置の輝度比＝Δｙ  である。ずれ量Δｙが０．００以下の場合は、Δｙ＜０と表すことができる。
【００７９】
上記した実施形態によれば、透過効率を大きく低下させることなく、全体的には電力消費を抑制することができる表示装置及び表示方法を提供できる。
【００８０】
即ち、実施形態の装置によると、カラーフィルタを有するために、フィルタ無しのフィールドシーケンシャル方式の装置に比べて照明装置の電力効率（ＬＥＤ効果）が高いために、全体的には電力効率がよい。
【００８１】
開示する発明の一態様は、以下の通りである。
【００８２】
（１）第１方向、及び前記第１方向に交差する第２方向に沿って配列される、複数のサブ画素と、各サブ画素に対応している色フィルタと、照明装置と、を有し、
前記色フィルタは、少なくとも隣り合う青のフィルタと黄のフィルタ含み、
前記照明装置は、光源を有し、光源から出力する光の１フレーム期間は、少なくともシアンの光が出力する期間とマゼンタの光が出力する期間を有する、表示装置である。
【００８３】
（２）さらに白のフィルタを有するサブ画素を有する、（１）記載の表示装置である。
【００８４】
（３）前記光源は、前記１フレーム期間内にさらに白の光を出力する期間を有する、（１）又は（２）記載の表示装置である。
【００８５】
（４）前記光源から出力する光の前記１フレーム期間は、さらに白の光を出力する期間を有し、前記白の光を出力する期間は、前記シアンの光とマゼンタの光が同時点灯する期間である、（１）又は（２）記載の表示装置である。
【００８６】
（５）前記青のフィルタの面積が前記黄のフィルタの面積よりも小さい、（１）又は（２）記載の表示装置である。
【００８７】
（６）前記青のフィルタと前記黄のフィルタとを有し、平面形状がほぼ正方形である画素、
又は、
前記青のフィルタと、前記黄のフィルタと、白のフィルタとを有し、平面形状がほぼ正方形である画素を含む、（１）記載の表示装置である。
【００８８】
（７）前記第１方向に前記青のフィルタが配列され、
前記第１方向に前記黄のフィルタと白のフィルタが交互に配列されている、（１）記載の表示装置である。
【００８９】
（８）前記第２方向に前記青のフィルタが配列され、
前記第２方向に前記黄のフィルタと白のフィルタが交互に配列されている、（１）記載の表示装置である。
【００９０】
（９）１つの青のフィルタが、１つの黄のフィルタと１つの白のフィルタとのそれぞれに対して、割り当てられている（７）又は（８）記載の表示装置である。
【００９１】
（１０）１つの青のフィルタが、１つの黄のフィルタと１つの白のフィルタに共有されている、（７）又は（８）記載の表示装置である。
【００９２】
（１１）前記光源は、バックライト制御回路に基づき制御される（１）記載の表示装置である。
【００９３】
（１２）前記青のフィルタと前記黄のフィルタの面積比から求められるフィルタ透過率比と、マゼンタとシアンの光の分光輝度比との相互関係は、色度図上の白色点位置を維持する特性である、（１）記載の表示装置である。
【００９４】
（１３）第１方向、及び前記第１方向に交差する第２方向に沿って配列される、複数のサブ画素と、各サブ画素に対応している色フィルタと、照明装置と、を有した表示装置の駆動方法であり、
前記色フィルタは、少なくとも隣り合う青のフィルタと黄のフィルタを含み、
前記照明装置は、１フレーム期間内で、少なくともシアンの光とマゼンタの光を出力する、表示装置の駆動方法である。
【００９５】
（１４）前記照明装置が、前記１フレーム期間内に、白の光を出力する、（１３）記載の表示装置の駆動方法である。
【００９６】
（１５）前記照明装置が、前記１フレーム期間内に、白の光を出力し、白の光を出力するフィールドでは、前記シアンの光とマゼンタの光を同時点灯する、（１３）記載の表示装置の駆動方法である。
【００９７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。
【符号の説明】
【００９８】
ＬＣＤ・・・液晶表示装置、ＰＮＬ・・・液晶表示パネル、ＬＳ・・・面光源装置、ＬＧ・・・導光板、ＬＵ・・・光源ユニット、ＬＥＤ・・・光源（発光ダイオード）、ＳＵＢ１・・・第１基板、ＳＵＢ２・・・第２基板、ＤＡ・・・表示エリア、ＣＰ・・・駆動ＩＣチップ、Ｇ（Ｇ１〜Ｇｎ）・・・ゲート配線、Ｓ（Ｓ１〜Ｓｍ）・・・ソース配線、ＳＷ・・・スイッチング素子、ＬＱ・・・液晶層、ＧＤ・・・第１駆動回路、ＳＤ・・・第２駆動回路、ＰＸ・・・サブ画素、Ｒ・・・赤、Ｇ・・・緑、Ｂ・・・青。
【図１】
2016110098.tif 000003
【図２】
2016110098.tif 000004
【図３Ａ】
2016110098.tif 000005
【図３Ｂ】
2016110098.tif 000006
【図３Ｃ】
2016110098.tif 000007
【図４Ａ】
2016110098.tif 000008
【図４Ｂ】
2016110098.tif 000009
【図４Ｃ】
2016110098.tif 000010
【図５】
2016110098.tif 000011
【図６】
2016110098.tif 000012
【図７Ａ】
2016110098.tif 000013
【図７Ｂ】
2016110098.tif 000014
【図８Ａ】
2016110098.tif 000015
【図８Ｂ】
2016110098.tif 000016
【図９Ａ】
2016110098.tif 000017
【図９Ｂ】
2016110098.tif 000018
【図１０Ａ】
2016110098.tif 000019
【図１０Ｂ】
2016110098.tif 000020
【図１１Ａ】
2016110098.tif 000021
【図１１Ｂ】
2016110098.tif 000022
【図１１Ｃ】
2016110098.tif 000023
【図１２Ａ】
2016110098.tif 000024
【図１２Ｂ】
2016110098.tif 000025
【図１２Ｃ】
2016110098.tif 000026
【図１３】
2016110098.tif 000027
【図１４】
2016110098.tif 000028
【図１５】
2016110098.tif 000029
【図１６】
2016110098.tif 000030